(57)【要約】【課題】部品点数の増加なしに、わずかな設計変更だけでミストノズル駆動モータの故障検出を行ないうる浴室暖房装置を提供する。【解決手段】ミストノズル１０を揺動旋回させてミストの噴出方向を設定するミストノズル駆動モータ２１を備えた浴室暖房乾燥機１において、暖房時の空調制御用の温度センサ１１を上記ミストノズル１０の揺動旋回範囲内の所定位置に配置し、上記ミストノズル駆動モータ２１を作動させて、上記ミストノズル１０から噴出するミストが上記温度センサ１１に直接吹き付けられる位置に上記ミストノズル１０を揺動旋回させてミストを噴霧し、このときの温度センサ１１の検出値に基づいて、上記ミストノズル駆動モータ２１の故障判定を行なう。【選択図】  図１
2008111606.tif 000002
【特許請求の範囲】
【請求項１】
ミストノズルを通じてミストを噴霧するミスト噴霧機能を有するとともに、前記ミストノズルを揺動旋回させてミストの噴出方向を設定するミストノズル駆動モータを備えた浴室暖房装置におけるミストノズル駆動モータの故障検出方法であって、
空調制御用の室温検出手段を前記ミストノズルの揺動旋回範囲内の所定位置に配置し、
前記ミストノズル駆動モータを作動させて、前記ミストノズルから噴出するミストが前記室温検出手段に直接吹き付けられる位置に前記ミストノズルを揺動旋回させてミストを噴霧し、
このときの前記室温検出手段の検出値に基づいて、前記ミストノズル駆動モータの故障判定を行なう
ことを特徴とする浴室暖房装置におけるミストノズル駆動モータの故障検出方法。
【請求項２】
ミストノズルを通じてミストを噴霧するミスト噴霧機能を有するとともに、前記ミストノズルを揺動旋回させてミストの噴出方向を設定するミストノズル駆動モータを備えた浴室暖房装置におけるミストノズル駆動モータの故障検出方法であって、
空調制御用の室温検出手段を前記ミストノズルの揺動旋回範囲内の所定位置に配置し、
前記ミストノズルから噴出するミストを前記室温検出手段に直接吹き付けた後、ミストの噴出を停止することなく前記ミストノズル駆動モータを作動させて、前記ミストノズルから噴出するミストが前記室温検出手段に直接吹き付けられない位置にミストノズルを揺動旋回させ、
このときの前記室温検出手段の検出値に基づいて、前記ミストノズル駆動モータの故障判定を行なう
ことを特徴とする浴室暖房装置におけるミストノズル駆動モータの故障検出方法。
【請求項３】
ミストノズルを通じてミストを噴霧するミスト噴霧機能を有するとともに、前記ミストノズルを揺動旋回させてミストの噴出方向を設定するミストノズル駆動モータを備えた浴室暖房装置において、
空調制御用の室温検出手段が、前記ミストノズルの揺動旋回範囲内の所定位置に配置され、
制御部が、前記ミストノズル駆動モータの故障判定処理として、前記ミストノズルから噴出するミストが前記室温検出手段に直接吹き付けられる位置に前記ミストノズルを揺動旋回させるステップと、前記ミストノズルからミストを所定時間噴出させるステップと、ミスト噴出時における前記室温検出手段の検出値に基づいて前記ミストノズル駆動モータの故障判定を行なうステップとを有する制御構成を備えたことを特徴とする浴室暖房装置。
【請求項４】
ミストノズルを通じてミストを噴霧するミスト噴霧機能を有するとともに、前記ミストノズルを揺動旋回させてミストの噴出方向を設定するミストノズル駆動モータを備えた浴室暖房装置において、
空調制御用の室温検出手段が、前記ミストノズルの揺動旋回範囲内の所定位置に配置され、
制御部が、前記ミストノズル駆動モータの故障判定処理として、前記ミストノズルから噴出するミストを前記室温検出手段に所定時間直接吹き付けるステップと、ミストの噴出を停止することなく前記ミストノズルから噴出するミストが前記室温検出手段に直接吹き付けられない退避位置にミストノズルを揺動旋回させるステップと、前記ミストノズルが退避位置にあるときの前記室温検出手段の検出値に基づいて前記ミストノズル駆動モータの故障判定を行なうステップとを有する制御構成を備えたことを特徴とする浴室暖房装置。
【請求項５】
前記ミストノズルの揺動旋回範囲が、浴室暖房装置を所定位置に設置した状態で、浴室内の所定位置に人体が存在すると仮定したときに当該人体にミストが直接吹き付けられない範囲まで揺動旋回可能に設定され、前記室温検出手段はこの人体にミストが直接吹き付けられない範囲内に配置されていることを特徴とする請求項３または４に記載の浴室暖房装置。
【請求項６】
前記制御部は、少なくとも前記ミストノズル駆動モータの故障判定処理としてミストの噴出を開始してから所定期間が経過するまでは前記室温検出手段の検出値に基づいて空調制御を行なわないように構成されていることを特徴とする請求項３から５のいずれかに記載の浴室暖房装置。
【請求項７】
前記制御部は、前記ミストノズル駆動モータの故障判定処理としてミストの噴出を開始する前に前記室温検出手段の検出値を取得し、この検出値に基づいて噴出させるミストの温度を設定することを特徴とする請求項３から６のいずれかに記載の浴室暖房装置。
【請求項８】
前記制御部は、前記ミストノズル駆動モータの故障判定処理としてミストの噴出を開始する前に、前記室温検出手段の検出値が所定温度となるように暖房またはミスト運転を行う前処理運転を実行することを特徴とする請求項３から７のいずれかに記載の浴室暖房装置。
【請求項９】
前記制御部は、ミストユニット駆動モータが故障していると判定した場合、所定の故障報知処理を行なう制御構成を備えていることを特徴とする請求項３から８のいずれかに記載の浴室暖房装置。
【発明の詳細な説明】
【技術分野】
【０００１】
この発明はミストノズル駆動モータの故障検出方法および浴室暖房装置に関し、より詳細には、ミストノズルを通じてミストを噴出するミスト噴霧機能を有し、上記ミストノズルを揺動旋回させてミストの噴出方向を設定するミストノズル駆動モータを備えた浴室暖房装置におけるミストノズル駆動モータの故障検出技術に関する。
【背景技術】
【０００２】
浴室暖房乾燥機をはじめとする浴室暖房装置においては、近年、温水や冷水（非加熱水）のミストを噴出させるミスト噴霧機能を備えたものが提案されている。この種のミスト噴霧機能は、熱交換器を通して加熱した温水や非加熱の水道水を、ミストノズルを通じて霧状のミストにして噴出させる機能であり、最近では、このミストノズルを揺動旋回させるミストノズル駆動モータを備え、リモコンなどの操作に応じてミストノズルの向き（ミストの噴出方向）をユーザが任意に設定できるようにしたものが提案されている（たとえば、特許文献１、２参照）。
【０００３】
【特許文献１】特開２００２−３３６１５５号公報
【特許文献２】特開２００３−３１０６９８号公報
【発明の開示】
【発明が解決しようとする課題】
【０００４】
ところで、このような浴室暖房装置においてミストノズル駆動モータが故障すると、設定通りの向きにミストが噴出しなくなる不具合があるが、従来の浴室暖房装置においては、このようなミストノズル駆動モータの故障の発見は専らユーザの目視による判断に委ねられていた。
【０００５】
この点に関し、故障部位の特定を容易化するために別途ミストノズル（またはミストノズル駆動モータ）の位置検出を行なうセンサを設けてミストノズルの揺動旋回動作を監視しようとすると、当該センサの追加による部品点数の増加や製造コストの上昇を招くといった問題が生じる。
【０００６】
そのため、上述したように、従来の浴室暖房装置においては、該装置自身がミストノズル駆動モータの故障診断を行なうようには構成されていなかった。
【０００７】
本発明は、このような従来の問題点に鑑みてなされたものであって、その目的とするところは、部品点数の増加なしに、わずかな設計変更だけでミストノズル駆動モータの故障検出を行ないうる浴室暖房装置を提供することにある。
【課題を解決するための手段】
【０００８】
上記目的を達成するため、本発明の請求項１に記載のミストノズル駆動モータの故障検出方法は、ミストノズルを通じてミストを噴霧するミスト噴霧機能を有するとともに、上記ミストノズルを揺動旋回させてミストの噴出方向を設定するミストノズル駆動モータを備えた浴室暖房装置におけるミストノズル駆動モータの故障検出方法であって、空調制御用の室温検出手段を上記ミストノズルの揺動旋回範囲内の所定位置に配置し、上記ミストノズル駆動モータを作動させて、上記ミストノズルから噴出するミストが上記室温検出手段に直接吹き付けられる位置に上記ミストノズルを揺動旋回させてミストを噴霧し、このときの上記室温検出手段の検出値に基づいて、上記ミストノズル駆動モータの故障判定を行なうことを特徴とする。
【０００９】
そして、本発明の請求項３に記載の浴室暖房装置は、ミストノズルを通じてミストを噴霧するミスト噴霧機能を有するとともに、上記ミストノズルを揺動旋回させてミストの噴出方向を設定するミストノズル駆動モータを備えた浴室暖房装置において、空調制御用の室温検出手段が、上記ミストノズルの揺動旋回範囲内の所定位置に配置され、制御部が、上記ミストノズル駆動モータの故障判定処理として、上記ミストノズルから噴出するミストが上記室温検出手段に直接吹き付けられる位置に上記ミストノズルを揺動旋回させるステップと、上記ミストノズルからミストを所定時間噴出させるステップと、ミスト噴出時における上記室温検出手段の検出値に基づいて上記ミストノズル駆動モータの故障判定を行なうステップとを有する制御構成を備えたことを特徴とする。
【００１０】
これら請求項１および３に係る発明では、空調制御用の室温検出手段が上記ミストノズルの揺動旋回範囲内の所定位置に配置される。ここで、この空調制御用の室温検出手段は、浴室暖房装置の暖房運転時に、暖房の強弱を調節（空調制御）する前提となる室温の情報を検出するために設けられる室温検出手段を意味する。ちなみに、従来の浴室暖房装置においては、この種の室温検出手段は浴室暖房装置の筐体正面上部に開設された空気吸込口の近傍に配設されるが、本発明ではその配設位置を大幅に変更している。
【００１１】
そして、本発明では、ミストノズル駆動モータの故障判定に際し、まず、上記ミストノズル駆動モータを作動させて、上記ミストノズルから噴出するミストが上記室温検出手段に直接吹き付けられるようにミストノズルの向きを設定し、この状態でミストノズルからミストを噴出させる。これにより、ミストノズル駆動モータが正常に作動していれば、ミストノズルから噴出したミストが室温検出手段に直接吹き付けられることとなり、室温検出手段の検出値はミストノズルから噴出されるミストの温度に近似した値となる。つまり、ミストノズルから噴出するミストが温水（加熱水）のミストであれば室温検出手段の検出値は当該温水の温度に近似した値となり、また、ミストノズルから噴出するミストが冷水（非加熱水）のミストであれば室温検出手段の検出値は当該冷水の温度に近似した値となる。
【００１２】
本発明は、このようなミストの吹き付けによる室温検出手段の検出値の変化に基づいて上記ミストノズル駆動モータの故障判定を行なう。
【００１３】
なお、室温検出手段の検出値に変化があったか否かの判定は、たとえば、室温検出手段の出力に対して閾値を設定し、検出値が当該閾値を上回った（または下回った）か否かで検出値に変化ありと判定したり、あるいは、室温検出手段の出力の経時変化を監視しておき、その変化量が所定値を超えた場合（たとえば、１分間に１０℃以上の変化があった場合）に検出値に変化がありと判定したりするなど、検出値の判定方法については適宜の設定をすることができる。
【００１４】
また、本発明の請求項２に記載のミストノズル駆動モータの故障検出方法は、ミストノズルを通じてミストを噴霧するミスト噴霧機能を有するとともに、上記ミストノズルを揺動旋回させてミストの噴出方向を設定するミストノズル駆動モータを備えた浴室暖房装置におけるミストノズル駆動モータの故障検出方法であって、空調制御用の室温検出手段を上記ミストノズルの揺動旋回範囲内の所定位置に配置し、上記ミストノズルから噴出するミストを上記室温検出手段に直接吹き付けた後、ミストの噴出を停止することなく上記ミストノズル駆動モータを作動させて、上記ミストノズルから噴出するミストが上記室温検出手段に直接吹き付けられない位置にミストノズルを揺動旋回させ、このときの上記室温検出手段の検出値に基づいて、上記ミストノズル駆動モータの故障判定を行なうことを特徴とする。
【００１５】
そして、本発明の請求項４に記載の浴室暖房装置は、ミストノズルを通じてミストを噴霧するミスト噴霧機能を有するとともに、上記ミストノズルを揺動旋回させてミストの噴出方向を設定するミストノズル駆動モータを備えた浴室暖房装置において、空調制御用の室温検出手段が、上記ミストノズルの揺動旋回範囲内の所定位置に配置され、制御部が、上記ミストノズル駆動モータの故障判定処理として、上記ミストノズルから噴出するミストを上記室温検出手段に所定時間直接吹き付けるステップと、ミストの噴出を停止することなく上記ミストノズルから噴出するミストが上記室温検出手段に直接吹き付けられない退避位置にミストノズルを揺動旋回させるステップと、上記ミストノズルが退避位置にあるときの上記室温検出手段の検出値に基づいて上記ミストノズル駆動モータの故障判定を行なうステップとを有する制御構成を備えたことを特徴とする。
【００１６】
これら請求項２および４に係る発明は、室温検出手段の検出値に基づいてミストノズル駆動モータの故障判定を行なう点で請求項１および３に係る発明と共通するが、請求項１および３に係る発明ではミストが室温検出手段に直接吹き付けられる位置にミストノズルを揺動旋回させた上で室温検出手段にミストを吹き付けて、その際の温度変化からミストノズル駆動モータの故障判定を行なうのに対し、請求項２および４に係る発明は、先に室温検出手段にミストを吹き付けて室温検出手段の温度検出値を室温とは異なる値とした後でミストの噴出を停止することなくミストノズルの向きを変えることで、室温検出手段の検出温度が室温に向かって復帰する際の温度変化からミストノズル駆動モータの故障判定を行なう点で相違する。そのため、請求項２および４に係る発明は、特に、ミストノズル駆動モータの故障判定を開始する際、既にミストノズルが室温検出手段に向いているような場合の故障判定に好適に使用できる。
【００１７】
また、本発明の請求項５に記載の浴室暖房装置は、請求項３または４に記載の浴室暖房装置において、上記ミストノズルの揺動旋回範囲が、浴室暖房装置を所定位置に設置した状態で、浴室内の所定位置に人体が存在すると仮定したときに当該人体にミストが直接吹き付けられない範囲まで揺動旋回可能に設定され、上記室温検出手段はこの人体にミストが直接吹き付けられない範囲内に配置されていることを特徴とする。
【００１８】
すなわち、本発明では、ミストノズル駆動モータの故障判定処理に際して、ミストノズルからミストが噴出されるが、このミストは専らミストノズル駆動モータの故障判定のために噴出させるものであり、ユーザの人体に吹き付けることを目的としていない。したがって、請求項５に係る発明では、浴室暖房装置を所定位置に設置した状態、つまり、たとえば壁掛式の浴室暖房装置においては浴室壁面の所定位置に浴室暖房装置を設置した状態で、ミストノズルの揺動旋回範囲が浴室内の所定位置に人体が存在すると仮定したときに当該人体にミストが直接吹き付けられない範囲まで揺動旋回可能に設定され、室温検出手段がこの人体にミストが直接吹き付けられない範囲内に配置される。換言すれば、この請求項５に係る発明では、通常の使用状態ではミストが人体に吹き付けられないような範囲にまでミストノズルの揺動旋回可能とされ、その位置、つまり通常の使用状態ではミストが人体に吹き付けられない位置でミストを噴出させてミストノズル駆動モータの故障判定処理を行なうように構成されている。
【００１９】
また、本発明の請求項６に記載の浴室暖房装置は、請求項３から５のいずれかに記載の浴室暖房装置において、上記制御部は、少なくとも上記ミストノズル駆動モータの故障判定処理としてミストの噴出を開始してから所定期間が経過するまでは上記室温検出手段の検出値に基づいて空調制御を行なわないように構成されていることを特徴とする。
【００２０】
すなわち、本発明では、ミストノズル駆動モータの故障判定処理に際して、ミストノズルから噴出するミストが室温検出手段に吹き付けられる。そのため、このときの室温検出手段の検出値（温度データ）は室温以外の温度（ミストの温度）を示すこととなるので、請求項６に係る発明では、ミストノズル駆動モータの故障判定処理としてミストの噴出を開始してから所定期間が経過するまでの間（換言すれば、室温検出手段により室温の検出が可能になるまでの間）、制御部は室温検出手段の検出値に基づいて空調制御を行なわないように構成されている。
【００２１】
また、本発明の請求項７に記載の浴室暖房装置は、請求項３から６のいずれかに記載の浴室暖房装置において、上記制御部は、上記ミストノズル駆動モータの故障判定処理としてミストの噴出を開始する前に上記室温検出手段の検出値を取得し、この検出値に基づいて噴出させるミストの温度を設定することを特徴とする。
【００２２】
すなわち、本発明では、ミストノズル駆動モータの故障判定処理にあたり、室温検出手段にミストを吹き付け、その際における室温検出手段の検出値に基づいて故障判定を行なうが、室温と吹き付けるミストの温度とが近い場合には室温検出手段での温度変化が小さく故障判定が困難になる。そこで請求項７に係る発明では、ミスト噴出に先立って室温を検出し、その検出値に基づいてミスト吹き付けによる温度変化が出やすくなるようにミストの温度を設定することで、室温検出手段による温度変化の検出を容易にしている。特に、この場合には、室温との関係で、ミストノズル駆動モータの故障判定に必要な最低限のミスト温度を設定できるため、不必要なエネルギーの消費がなく、エネルギー消費の最適化を図ることができる。
【００２３】
また、本発明の請求項８に記載の浴室暖房装置は、請求項３から７のいずれかに記載の浴室暖房装置において、上記制御部は、上記ミストノズル駆動モータの故障判定処理としてミストの噴出を開始する前に、上記室温検出手段の検出値が所定温度となるように暖房またはミスト運転を行なう前処理運転を実行することを特徴とする。
【００２４】
すなわち、この請求項８に係る発明も上記請求項７に係る発明と同様に、室温検出手段による温度変化の検出を容易にするための発明であって、この請求項８に係る発明では、ミストの噴出を開始する前に、暖房またはミスト運転を行なう前処理運転を実行して室温検出手段の検出値が所定温度となるようにする。これにより、たとえば冷水ミストを噴出させてミストノズル駆動モータの故障判定処理を行なう場合に室温検出手段による温度変化の検出が容易となる。
【００２５】
また、本発明の請求項９に記載の浴室暖房装置は、請求項３から８のいずれかに記載の浴室暖房装置において、制御部は、ミストユニット駆動モータが故障していると判定した場合、所定の故障報知処理を行なう制御構成を備えていることを特徴とする。
【００２６】
すなわち、請求項９に係る発明では、ミストユニット駆動モータの故障が検出されると所定の故障報知処理が実行されるので、たとえば、故障報知処理として、故障報知手段（たとえば、警告灯や警報音出力装置など）を通じて故障検出を報知したり、また、ミスト運転の停止処理を実行することにより、ユーザに故障の発生を確実に認識させることができる。
【発明の効果】
【００２７】
本発明の請求項１から４に係る発明によれば、空調制御用の室温検出手段がミストノズルの揺動旋回範囲内の所定位置に配置され、この室温検出手段の検出値に基づいてミストノズル駆動モータの故障判定が行なわれることから、ミストノズル駆動モータの故障判定のために新たなセンサを設ける必要がなく、わずかな設計変更だけでミストノズル駆動モータの故障検出を行ないうる浴室暖房装置を提供することができる。具体的には、空調制御用の室温検出手段の位置変更と、制御部のソフトウェアの内容変更だけでミストノズル駆動モータの故障検出を行ないうる浴室暖房装置を提供することができる。
【００２８】
また、請求項５に係る発明によれば、通常の使用状態ではミストが人体に吹き付けられない位置でミストを噴出させてミストノズル駆動モータの故障判定処理が行なわれるので、ミストノズル駆動モータの故障判定処理時に噴出するミストがユーザに当たることがない。そのため、ミストノズル駆動モータの故障判定処理時に噴出させるミストの温度を任意に設定でき、ミストノズル駆動モータの故障判定を正確かつ確実に行なうことが可能となる。
【００２９】
また、請求項６に係る発明によれば、ミストノズル駆動モータの故障判定処理としてミストの噴出を開始してから所定期間が経過するまでの間は制御部が室温検出手段の検出値に基づく空調制御を行なわないので、暖房運転に大きな影響を与えることなく暖房運転と並行してミストノズル駆動モータの故障判定処理を実行することができる。
【００３０】
また、請求項７に係る発明によれば、上記ミストノズル駆動モータの故障判定処理としてミストの噴出を開始する前に上記室温検出手段の検出値を取得し、この検出値に基づいて噴出させるミストの温度が設定され、また、請求項８に係る発明では、上記ミストノズル駆動モータの故障判定処理としてミストの噴出を開始する前に、上記室温検出手段の検出値が所定温度となるように暖房またはミスト運転を行なう前処理運転が実行されることから、いずれの場合も室温検出手段による温度変化の検出が容易となり、ミストノズル駆動モータの故障判定を正確かつ確実に行なうことが可能となる。
【００３１】
また、請求項９に係る発明によれば、ミストユニット駆動モータの故障が検出されると所定の故障報知処理が実行されるので、ユーザに故障の発生を確実に認識させることができる。
【発明を実施するための最良の形態】
【００３２】
以下、本発明の実施形態を図面に基づいて詳細に説明する。
実施形態１
図１は、本発明が適用される浴室暖房乾燥機（浴室暖房装置）の一例を示す概略構成図である。
【００３３】
図示の浴室暖房乾燥機１は、図示しない浴室の側壁上部に設置されるいわゆる壁掛式の浴室暖房乾燥機であって、温水熱源機２から供給される温水を熱源として浴室内の暖房並びに乾燥を行なうとともに、これら暖房・乾燥機能に加えて、ミストユニット３を介して供給される温水（加熱水）や冷水（非加熱水）を霧状のミストにして噴出させるミスト噴霧機能を備えている。
【００３４】
具体的には、この浴室暖房乾燥機１は、上記暖房・乾燥機能に関連して、気−液熱交換器５と、循環ファン６と、空気吸気口７と、温風吹出用のルーバー８と、湿度センサ９とを主要部として備えるとともに、ミスト噴霧機能に関連して、ミストノズル１０を主要部として備えている。そして更に、本発明の浴室暖房乾燥機１では、その特徴的な構成として、上記暖房・乾燥機能とミスト噴霧機能（より正確には、後述するミストノズル駆動モータの故障判定機能）に共通する構成部品として温度センサ（室温検出手段）１１が備えられている。なお、図において符号１２で示すのは、これら各機能を制御するためのコントローラ（制御部）である。
【００３５】
より詳細には、上記気−液熱交換器５は、上記温水熱源機２から供給される温水を熱媒として浴室内の空気を加熱昇温させるためのもので、一端が熱動弁１３を介して温水熱源機２の暖房往管１４と接続され、他端が温水熱源機２の暖房戻管１５と接続されている。上記熱動弁１３は、上記暖房往管１４の導通／遮断を切り替えるための弁装置であって、上記コントローラ１２からの制御信号に基づいて弁の開閉を行なうように構成されている。
【００３６】
これにより、この浴室暖房乾燥機１では、上記コントローラ１２がこの熱動弁１３を開くことによって温水熱源機２から供給される温水（加熱水）が気−液熱交換器５に供給され、該熱交換器５による熱交換（周囲の空気の加熱昇温）が開始される。なお、本実施形態に示す浴室暖房乾燥機１においては、暖房・乾燥運転時における室温調節（空調制御）は、この熱動弁１３を開いている時間を調節することにより行なわれる（詳細は後述する）。
【００３７】
上記循環ファン６は、暖房・乾燥運転時に、浴室内の空気を強制循環させるためのファン装置であって、当該ファン６の回転駆動源として循環ファン駆動モータ１６を備えている。この循環ファン駆動モータ１６は、上記コントローラ１２からの制御信号に基づいてその駆動／停止が制御される。すなわち、この循環ファン駆動モータ１６が駆動を開始すると、それに伴って循環ファン６が所定の回転数で回転駆動し、これにより、上記空気吸気口７から浴室内の空気が浴室暖房乾燥機１内部に取り込まれ、上記気−液熱交換器５で加熱昇温されて温風吹出用のルーバー８から排出・吹出されるように構成されている。
【００３８】
なお、本実施形態では、この循環ファン駆動モータ１６は、コントローラ１２によってその駆動／停止のみが制御されるように構成された場合を示したが、たとえばその回転数（送風量）もコントローラ１２によって制御可能に構成することも可能である。つまり、暖房・乾燥運転時における室温調節（空調制御）を循環ファン６の送風量によってのみ行なう場合や上述した熱動弁１３の開弁時間の調節と併用する場合には、循環ファン駆動モータ１６の回転数も制御可能に構成される。
【００３９】
空気吸気口７は、浴室暖房乾燥機１の筐体１ａの正面上部に開設された空気吸込み用の開口であって、具体的には、上記気−液熱交換器５の設置位置よりも上方に、かつ、該気−液熱交換器５のフィン５ａの幅寸法に対応する幅寸法をもって開設される。なお、従来の浴室暖房乾燥機においては、暖房・乾燥暖房・乾燥運転時の空調制御用の室温検出手段（浴室内の温度を検出するための温度センサａ）は、この空気吸気口７の内側に設けられていたが（図中の鎖線で示すセンサａ）、本発明では、後述するように、この空調制御用の室温検出手段の配設位置が変更されている。
【００４０】
温風吹出用のルーバー８は、浴室暖房乾燥機１の筐体１ａの正面下部に揺動旋回自在に設けられた温風の吹出口であって、上記気−液熱交換器５の設置位置よりも下方に、かつ、該気−液熱交換器５のフィン５ａの幅寸法に対応する幅寸法をもって形成されている。そして、この温風吹出用のルーバー８は、その揺動旋回駆動源として、ルーバーモータ１７を備えている。そして、このルーバーモータ１７は、上記コントローラ１２からの制御信号に基づいてその揺動旋回方向（換言すれば、温風の吹出方向）を任意に設定可能とされている。たとえば、温風吹出用のルーバー８の温風吹出口８ａを水平方向（浴室側壁に対して直交方向）から垂直方向（浴室壁面に対して下向きの水平方向）の範囲内において任意の所定方向に固定したり、これらの間で往復動（スイング）させたりできるように構成されている。
【００４１】
湿度センサ９は、浴室暖房乾燥機１を乾燥運転させる際に、浴室内の湿度を検出するために用いられる湿度センサである。なお、この乾燥運転に関して、浴室暖房乾燥機１には浴室内の空気を室外に排出するための換気ファンが備えられており、乾燥運転時には上記コントローラ１２からの制御信号に基づいて上記換気ファンが駆動し、浴室内の空気を室外に排出するように構成されている。
【００４２】
上記ミストノズル１０は、温水や冷水のミストを噴出させるためのミスト噴出手段を構成するものであって、浴室暖房乾燥機１の筐体１ａの下端部に設けられている。
【００４３】
具体的には、このミストノズル１０は、一端がミストユニット３に接続されたミスト用配管１８の他端を枝分かれさせて複数（図示例では６個）のノズル本体１９，１９，…に接続してなる構造を有している。図示の構造では、枝分かれしたミスト用配管１８と途中にミスト出力本数を切り替えるための切替電磁弁２０が設けられており、この切替電磁弁２０をコントローラ１２からの制御信号によって開閉させることによってミストを噴出させるノズル本体１９，１９，…の本数の切り替えが可能とされている。
【００４４】
つまり、図示例では、この切替電磁弁２０を閉じることにより、ミストを噴出させるノズル本体１９，１９，…の本数を６本から２本に減ずることができるように構成されている。なお、このノズル本体１９，１９，…の本数の切り替えは、リモコン４にミストの噴出態様（ミスト能力）を大小２態様に切り替える操作スイッチが設けられ、能力「大」が選択されると上記切替電磁弁２０が開かれ、能力「小」が選択されと上記切替電磁弁２０が閉じられる。
【００４５】
そして、このように構成されたノズル本体１９，１９，…は、浴室暖房乾燥機１の幅方向に略等間隔で一列に配置され、これら各ノズル本体１９，１９，…が一体となって揺動旋回可能とされている。すなわち、これら各ノズル本体１９，１９，…には、その左右両端にこれらを一体として揺動旋回駆動させるための一対のミストノズル駆動モータ２１，２１が設けられており、このミストノズル駆動モータ２１，２１が、上記コントローラ１２からの制御信号に基づいて回転駆動することによってこれら各ノズル本体１９，１９，…が一体となって揺動旋回するように構成されている。
【００４６】
図２は、ミストノズル１０の駆動機構を説明する概念図を示している。より詳細には、この図２は、上述したミスト用配管１８の枝分かれ構造や切替電磁弁２０を省略してノズル本体１９とミストノズル駆動モータ２１の位置関係を示している。この図に示すように、ノズル本体１９，１９，…はミスト用配管１８の他端に一列に配設されることから、上記ミストノズル駆動モータ２１は、これらノズル本体１９，１９，…を回転軸Ｘを中心に回転可能に支持している。すなわち、ミストノズル駆動モータ２１が回転駆動することにより、ノズル本体１９，１９，…が回転軸Ｘを中心として揺動旋回可能とされている。
【００４７】
図３は、このように構成されたミストノズル１０の揺動旋回範囲の一例を示している。なお、この図において符号Ｗは浴室の側壁を示しており、符号Ａはミストノズル１０の揺動旋回範囲を示している。図３に示すように、本実施形態に示す浴室暖房乾燥機１においては、ミストノズル１０は、上述した温風吹出用のルーバー８と同様、ノズル本体１９のミスト噴出方向が水平方向（浴室側壁Ｗに対して直交方向）から垂直方向（浴室壁面Ｗに対して下向きの水平方向）の範囲内で揺動旋回可能とされている。
【００４８】
具体的には、この揺動旋回範囲Ａの設定は、たとえば、上記ミストノズル駆動モータ２１によるミスト用配管１８（ノズル本体１９）の支持構造に滑り機構（図示せず）を介在させるとともに、上記揺動旋回範囲Ａを超えてミストノズル駆動モータ２１が回転しようとしても同範囲Ａを超えてノズル本体１９が揺動旋回しないようにノズル本体１９の旋回を規制する回転規制部材（図示せず）が設けられることにより行なわれる。
【００４９】
なお、このミストノズル１０の揺動旋回範囲Ａに関して、本実施形態に示すような壁掛式の浴室暖房乾燥機１の場合、ミストノズル１０から噴出されるミストを利用する（ミストを浴びる）ユーザは、通常、浴室暖房乾燥機１の正面前方に起立または着座していることから、後述するリモコン４によって設定可能なミストノズル１０の噴出方向は、このように浴室内の所定位置に人体が存在すると仮定したとき（本実施形態では、浴室暖房乾燥機１の正面前方にユーザが起立または着座したと仮定したとき）に当該人体にミストを吹き付け可能な範囲（図３では符号Ｂで示す範囲、具体的には、水平方向から約４５°の範囲程度）に制限され、この範囲でミストノズル１０の噴出方向を任意の所定方向に固定したり、往復動（スイング）させたりできるように構成されている。
【００５０】
これに対して、本発明の浴室暖房乾燥機においては、リモコンでの操作可能範囲は上述したように制限されるが、ミストノズル１０の揺動旋回範囲Ａ自体は、浴室暖房乾燥機１を所定位置（本実施形態では浴室側壁の上部）に設置した状態で、浴室内の所定位置に人体が存在すると仮定したとき（浴室暖房乾燥機１の正面前方にユーザが起立または着座したと仮定したとき）に当該人体にミストが直接吹き付けられない範囲（図３では符号Ｃで示す範囲）までを含んで揺動旋回可能に構成されている。
【００５１】
温度センサ（室温検出手段）１１は、上述したように、暖房・乾燥機能とミスト噴霧機能（具体的には、後述するミストノズル駆動モータ２１の故障判定機能）とに共通して用いられる温度センサ（たとえばサーミスタ）であって、具体的には、浴室暖房乾燥機１を所定位置（本実施形態では浴室側壁の上部）に設置した状態で、浴室内の所定位置に人体が存在すると仮定したとき（浴室暖房乾燥機１の正面前方にユーザが起立または着座したと仮定したとき）に当該人体にミストが直接吹き付けられない範囲（図３では符号Ｃで示す範囲）内に配置されている。
【００５２】
より具体的には、この温度センサ１１は、後述するミストノズル駆動モータ２１の故障判定処理の際にミストノズル１０から噴出されるミストを、室温の影響による温度変化が極力少ない状態で遮蔽物なく直接吹き付け可能な距離・位置で、しかも、その際に噴出するミストが浴室内の人体に可能な限り吹き付けられないような位置を選定して配置される。本実施形態では、図２，図３に示すように、ミストノズル１０の直下に該ミストノズル１０から数センチメートル程度の距離をおいて配設される。なお、この温度センサ１１の具体的な働きについては後述する。
【００５３】
また、コントローラ１２は、マイコンを備えた制御装置で構成される。そして、このコントローラ１２は、浴室暖房乾燥機１の各部の動作を制御するとともに、後述するミストユニット３のコントローラ３２と通信接続され、該ミストユニット３のコントローラ３２と制御情報のやり取りを行う他、該ミストユニット３のコントローラ３２を介して温水熱源機２とも制御情報のやり取りを行うように構成されている。また、このコントローラ１２は、浴室暖房乾燥機１の遠隔操作を行うためのリモコン４と無線通信（たとえば、赤外線通信）で接続され、該リモコン４からの遠隔操作を受付可能とされている。
【００５４】
一方、上記温水熱源機２は、上述した浴室暖房乾燥機１に対して暖房・乾燥機能用の温水と、ミスト機能用の温水を供給可能に構成された給湯装置で構成される。ここで、給湯装置自体の構成は周知であるのでその詳細な構成については説明を省略するが、少なくとも本実施形態に示す温水熱源機２は、上記気−液熱交換器５に対して温水を供給するとともに、該気−液熱交換器５で放熱して戻ってくる温水を再加熱して再び気−液熱交換器５に供給する機能と、ミストユニット３に対して温水を供給する機能（ミストユニット３に温水を供給するためのミスト用の給湯配管２４）とを有する給湯装置が好適に用いられる。
【００５５】
なお、本実施形態における温水熱源機２は、出湯待機状態でない場合（たとえば、リモコンの運転スイッチがオフ状態）にあるときでも、コントローラ１２からの制御信号に基づいて暖房・乾燥機能用の温水を供給可能に構成されている。そして、暖房・乾燥機能用の温水として、上記浴室暖房乾燥機１の熱動弁１３が開かれると一定の温度（たとえば、８０℃）の温水が上記暖房往管１４を通じて出湯されるように構成されている。一方のミスト用の給湯配管２４は、カランなど給湯栓に接続される他の給湯配管（図示せず）と同様に、温水熱源機２が出湯待機状態にある状態で一定流量以上の通水があれば、温水熱源機用のリモコン（図示せず）等で設定された給湯設定温度の温水を出湯するように構成されている。
【００５６】
上記ミストユニット３は、上述した浴室暖房乾燥機１に対してミスト噴霧機能用の温水や冷水を供給するための外部ユニットであり、図示のように、液−液熱交換器３１とコントローラ３２を主要部として備えている。
【００５７】
より詳細には、上記液−液熱交換器３１は、一次側の回路の一端が水比例弁３５を介して上記暖房往管１４から分岐した暖房往分岐配管３３と接続され、その他端が上記暖房戻管１５から分岐した暖房戻分岐配管３４に接続されている。なお、上記水比例弁３５は、上記コントローラ３２による制御によって弁開度を全閉から全開までの範囲で調節可能な弁装置で構成され、この水比例弁３５が開弁されることによって上記液−液熱交換器３１の一次側の回路に一定温度（本実施形態では８０℃）の温水が供給・循環するように構成されている。なお、図において符号３６で示すのは、上記液−液熱交換器３１の一次側に供給される温水の温度を検出する温度センサ（たとえば、サーミスタ）である。
【００５８】
上記液−液熱交換器３１の二次側は、その一端が給湯電磁弁３７を介して上記温水熱源機２のミスト用の給湯配管２４に接続されるとともに、その他端がミスト電磁弁３８を介して上記浴室暖房乾燥機１のミスト用配管１８に接続されている。ここで、給湯およびミストの各電磁弁３７，３８は、上記コントローラ３２による制御によって弁を開閉する電磁弁で構成される。そして、上記給湯電磁弁３７の下流側には給水電磁弁３９を介して給水配管４０が接続されるとともに、上記ミスト電磁弁３８の上流側には排水電磁弁４１を介して排水管４２が接続されている。これら、給水・排水の各電磁弁３９，４１も上記コントローラ３２による制御によって弁を開閉する電磁弁で構成されており、上記給水配管４０は図示しない上水道に接続され、また、上記排水管４２は下水道に接続または屋外に開放されている。
【００５９】
そして更に、上記液−液熱交換器３１の二次側の出力側と上記ミスト電磁弁３８との間には、上記液−液熱交換器３１の二次側から出力される温水（ミスト機能用の温水）の温度を検出するミスト温度センサ４３が設けられている。なお、このミスト温度センサ４３で検出された温度情報（検出値）は、後述するように、コントローラ３２を介して浴室暖房乾燥機１のコントローラ１２に送信される。
【００６０】
ミストユニット３のコントローラ３２は、浴室暖房乾燥機１のコントローラ１２と通信接続された制御装置であって、浴室暖房乾燥機１のコントローラ１２からの制御信号に基づいて上述したミストユニット３の各部（電磁弁や比例弁等）の動作を制御するとともに、ミスト温度センサ４３等のセンサ検出値（アナログデータ）を浴室暖房乾燥機１のコントローラ１２に送信する。
【００６１】
しかして、このように構成された浴室暖房乾燥機１の動作について以下に説明する。
【００６２】
Ａ：暖房・乾燥運転（暖房・乾燥機能）
本実施形態に示す浴室暖房乾燥機１は、リモコン４で暖房運転の開始操作がなされると、無線通信を介して、この操作が浴室暖房乾燥機１のコントローラ１２に受け付けられる。コントローラ１２では、上記操作を受け付けると、温水熱源機２のコントローラとの通信を行い、温水熱源機２からの温水供給を要求した後、熱動弁１３を開いて温水熱源機２からの温水の気−液熱交換器５への取り込みを開始するとともに、循環ファン駆動モータ１６を駆動させて循環ファン６による浴室内空気の強制循環を開始する。また、これらと並行して、ルーバーモータ１７を駆動させて温風吹出用のルーバー８の向きを設定する。
【００６３】
これにより、上記空気吸気口７から浴室内の空気が浴室暖房乾燥機１の内部に取り込まれ、上記気−液熱交換器５で加熱昇温されて温風吹出用のルーバー８から排出・吹出される。なお、その際、コントローラ１２は、温度センサ１１で検出される温度情報（センサ検出値）に基づいて、上記熱動弁１３を開いている時間を調節して浴室内の室温制御を行なう。
【００６４】
すなわち、この場合は、上記温度センサ１１で得られる検出値がリモコン４で設定された浴室設定温度より低い場合には熱動弁１３の開弁時間を長くして気−液熱交換器５からの放熱量を増やし、反対に浴室設定温度が高い場合には熱動弁１３の開弁時間を短くして気−液熱交換器５からの放熱量を減らすことにより、浴室内の空調制御を行なう。
【００６５】
なお、上記リモコン４において乾燥運転の開始操作がなされた場合も上記暖房運転とほぼ同様であるが、この場合、上記コントローラ１２は、上記温度センサ１１の検出される湿度情報に基づいて上記換気ファンを駆動させて浴室内の空気を室外に排出する。
【００６６】
Ｂ：ミスト運転（ミスト噴霧機能）
一方、リモコン４でミスト運転の開始操作がなされると、この操作も無線通信を介して浴室暖房乾燥機１のコントローラ１２に受け付けられる。ここで、上記ミスト運転の開始操作において「温水ミスト」が選択されていると、コントローラ１２は、ミスト運転の開始操作を受け付けると、上記ミスト電磁弁３８を開いて、温水をミスト用配管１８に供給する。これにより、ミスト用配管１８に供給された温水がミストノズル１０のノズル本体１９から噴出される。
【００６７】
ここで、このミスト用の温水の生成はミストユニット３において行なわれる。すなわち、ミストユニット３のコントローラ３２は、浴室暖房乾燥機１のコントローラ１２から与えられるミスト設定温度に基づいて、給湯電磁弁３７または給水電磁弁３９を開き、これによって温水熱源機２（ミスト用の給湯配管２４）または上水道（給水配管４０）から供給される温水や冷水を液−液熱交換器３１で加熱することにより生成する。なお、その際、液−液熱交換器３１の一次側の回路に与える熱量は水比例弁３５の弁開度の調節によって加減される。つまり、ミスト温度センサ４３で検出される温度が上記ミスト設定温度となるように水比例弁３５が制御される。
【００６８】
そして、これら一連の処理と並行して、浴室暖房乾燥機１のコントローラ１２が、ミストノズル駆動モータ２１を駆動させて、リモコン４によって設定された方向にミストノズル１０を向ける。
【００６９】
なお、このミスト運転（特に温水ミスト運転）を行なう場合、上記コントローラ１２は上述したミストの噴出に先立って又はミストの噴出と同時に暖房運転を同時に開始するように設定されるのが好ましい。つまり、温水ミストを噴出させても浴室の室温が低いとユーザは温水ミストを冷たく感じてしまうので、浴室の温度を上昇させる処理を並行して行なうのが好ましい。
【００７０】
また、本実施形態に示す浴室暖房乾燥機１では、「冷水ミスト」の噴霧機能も備えている。この場合、リモコン４で「冷水ミスト」が選択されると、ミストユニット３のコントローラ３２は、水比例弁３５を全閉とし（液−液熱交換器３１での熱交換を停止し）、この状態で、ミスト電磁弁３８および給水電磁弁３９を開いて上水道（給水配管４０）から供給される冷水を浴室暖房乾燥機１のミスト用配管１８に供給する。これにより、非加熱の冷水がミスト用配管１８に供給され、ミストノズル１０のノズル本体１９から冷水のミストが噴出される。
【００７１】
Ｃ：ミストノズル駆動モータの故障判定処理
ところで、本実施形態の浴室暖房乾燥機１では、このようなミスト運転に際して駆動するミストノズル駆動モータ２１についての故障の有無を、コントローラ１２が自己診断する故障判定処理機能が備えられている。
【００７２】
すなわち、コントローラ１２には、この故障判定処理機能を実行するための故障診断プログラムが搭載されており、このプログラムを実行することにより、以下のようにして、ミストノズル駆動モータ２１の故障判定が行なわれる。
【００７３】
なお、以下に示す実施形態では、ミストノズル駆動モータ２１の故障判定は、リモコン４によりミスト運転の開始操作が行なわれる度にミスト運転の開始に先立って行なわれるように設定された場合について説明するが、この故障判定処理の実行時期はこれに限定されず適宜変更可能である。たとえば、ミスト運転の開始操作が所定回数行なわれた際に故障判定処理を実行するように構成したり、ミスト運転の開始操作とは関係なく所定時間の経過により自動的に実行するように構成したりすることもできる。
【００７４】
（１）まず、上記リモコン４により、温水または冷水のミスト運転の開始操作がなされ、この操作がコントローラ１２に受け付けられると、コントローラ１２は、上記ミストノズル駆動モータ２１を作動させて、上記ミストノズル１０から噴出されるミストが上記温度センサ１１に向かって噴出される位置となるようにミストノズル１０を揺動旋回させる。本実施形態では、上記温度センサ１１は、図３に示すように、ミストノズル１０の直下に配設されているので、コントローラ１２はミストノズル１０が真下を向くようにミストノズル駆動モータ２１を駆動する。
【００７５】
（２）そして、次の段階として、コントローラ１２は、所定温度のミストを所定時間上記ミストノズル１０から噴出させる。ここで、ミストノズル１０から噴出させるミストの温度は、浴室の室温とは異なる温度が選択される。
【００７６】
ちなみに、噴出させるミストの温度と室温との温度差は大きいほど、次の段階で行なわれる故障判定が容易かつ確実なものとなるので、両者の温度差は一定値以上（たとえば、１０℃以上）となるようにミストの温度を設定するのが好ましい。このミストの温度の設定は、たとえば、予め定めておいた固定温度（たとえば７０℃）を用いてもよく、また、ミスト噴出前に浴室の温度を温度センサ１１で検出し、この検出した室温に基づいて噴出させるミストの温度を設定することも可能である。具体的には、検出した室温に対して「＋２０℃」や「−２０℃」といったように室温との関係で相対的に決定するように構成したり、あるいは、上記固定値として「冷水ミスト」と「所定温度の温水ミスト」の二通りの温度のミストを用意しておき、ミスト噴出前に浴室の温度を温度センサ１１で検出して、この検出した室温と基準温度とを比較し、検出した室温が基準温度より低ければ「温水ミスト」を、また基準温度より高ければ「冷水ミスト」を用いるように構成することも可能である。
【００７７】
さらに、ミストの噴出時間は、少なくとも、吹き付けられたミストによって温度センサ１１の検出値が変化するのに十分な時間（たとえば、数秒乃至数十秒程度）に設定される。
【００７８】
（３）このようにして、上記温度センサ１１に対するミストの吹き付けがなされると、次の段階として、コントローラ１２は、このミスト噴出時における温度センサ１１の検出値に基づいて上記ミストノズル駆動モータ２１の故障判定を行なう。
【００７９】
すなわち、この故障判定の前段階としてミストノズル１０から噴出させたミストの温度は浴室の室温とは異なることから、この故障判定に際して温度センサ１１で検出される検出値は少なくともミストの温度に近い値又はこれに近づく途中の値となることから、このようなミストの温度に近づく温度変化が検出されると、コントローラ１２は、ミストユニット駆動モータ２１は正常に駆動していると判定する一方、温度センサ１１で検出される温度がまったく変化しないか、あるいは、変化の程度が極めて少ない場合には、ミストユニット駆動モータ２１が故障している（ミストユニット１０の向きが変わっていない）と判定する。
【００８０】
具体的には、この温度センサ１１での温度変化の検出は、たとえば、温度センサ１１の出力に対して閾値を設定し、検出値が当該閾値を上回った（または下回った）か否かで温度変化の有無を判定したり、あるいは、温度センサ１１の出力の経時変化を監視しておき、その変化量が所定値を超えたか否か（たとえば、１分間に１０℃以上の変化があったか否か）で温度変化の有無を判定する。
【００８１】
ここで、上記閾値の設定は、たとえば、ミストノズル１０から噴出させるミストが固定値の場合は当該閾値もこれに併せて予め固定値として設定されるが、ミストノズル１０から噴出させるミストが浴室の室温に応じて相対的に決定される場合などには、上記閾値もミストノズル１０から噴出させるミストの温度に応じて相対的に決定することができる。具体的には、このミストの温度としては、リモコン４（コントローラ１２）で設定されるミスト設定温度を用いることができる他、ミストユニット３のミスト温度センサ４３で検出されるミスト用温水の温度を用いることもできる。さらには、ミスト噴出前に浴室の温度を温度センサ１１で検出して、この検出した室温の高低に応じて、検出した室温と閾値との間隔を設定することもできる。たとえば、検出した室温が高ければ室温と閾値との間隔を狭く設定し、反対に検出した室温が低ければ室温と閾値との間隔を広く設定するといったことも可能である。
【００８２】
（４）このようにしてミストノズル駆動モータ２１の故障判定が完了すると、コントローラ１２は、ミストユニット駆動モータ２１は正常に駆動していると判定した場合には、ミストノズル駆動モータ２１を駆動させて、ミストノズル１０をリモコン４で設定された方向に揺動旋回させるとともに、リモコン４で設定された温度のミストをミストノズル１０から噴霧させて、ミスト運転を開始する。
【００８３】
その一方、ミストユニット駆動モータ２１が故障していると判定した場合には、コントローラ１２は所定の故障報知処理を実行する。なお、この故障報知処理としては、たとえば、浴室暖房乾燥機１やリモコン４に設けられた故障報知手段（たとえば警告灯など）を通じて当該故障を報知する。またその際、ミスト運転の停止処理を併せて実行するように構成してもよい。
【００８４】
このように、本発明によれば、空調制御用の温度センサ１１がミストノズルの揺動旋回範囲内の所定位置に配置され、この温度センサ１１の検出値に基づいてミストノズル駆動モータ２１の故障判定が行なわれることから、ミストノズル駆動モータ２１の故障判定のために新たなセンサを設ける必要がなく、温度センサ１１の配置の変更と制御部のソフトウェアの変更といったわずかな設計変更だけで、浴室暖房乾燥機１自身の制御によってミストノズル駆動モータ２１の故障検出を行なうことができる。
【００８５】
なお、本発明では、上述したように、ミストノズル駆動モータ２１の故障判定処理に際して、上記温度センサ１１には所定温度のミストが吹き付けれ、上記温度センサ１１はミストの温度を検出することになる（つまり、室温とは異なる温度を検出する）ので、コントローラ１２は、少なくともミストノズル駆動モータ２１の故障判定処理としてミストの噴出を開始してから所定期間が経過するまでは温度センサ１１の検出値に基づいて空調制御を行なわないように構成される。
【００８６】
すなわち、上述の例では、ミストの噴出を停止するかミストノズル１０のミスト噴出方向が温度センサ１１以外の方向に再設定されてから、温度センサ１１の検出値が浴室の室温の温度に復帰するまでの間は温度センサ１１の検出値に基づいて空調制御を行なわないように設定される。ちなみに、このように温度センサ１１の検出値に基づく空調制御の禁止期間中に暖房・乾燥運転が行われた場合は、たとえば、上記空調制御の禁止期間の開始前に温度センサ１１で取得した室温のデータを空調制御用のデータとして暖房・乾燥運転を開始・継続したり、あるいは、この禁止期間中は浴室の室温のデータを用いずに強制的に（気−液熱交換器５の発熱量の調節は行なわずに）暖房・乾燥運転を行なうように構成することができる。
【００８７】
実施形態２
次に、本発明の第２の実施形態について説明する。この第２の実施形態は、上述した実施形態１におけるミストノズル駆動モータ２１の故障判定処理手順の一部を改変したものであって、該変更点以外については上述した実施形態１と共通するので、共通する部分については同一の符号を用いて説明を省略する。
【００８８】
すなわち、上述した実施形態１では、ミストノズル駆動モータ２１の故障判定にあたり、まずミストノズル駆動モータ２１を作動させてミストノズル１０の向きを設定しているが、ミストノズル１０の位置を変更しなくとも温度センサ１１にミストを吹き付け可能な状態にある場合（たとえば、本実施形態に示す浴室暖房乾燥機１において、ミスト運転の終了時にミストノズル１０を真下に向けて運転を終了するような場合や、ミスト運転の終了時のミストノズル１０の方向は真下ではないがミストノズル１０（またはミストノズル駆動モータ２１）の固着によりミストノズル１０が温度センサ１１に向いて停止している場合）、この状態でミストノズル駆動モータ２１の故障判定処理を開始させてもミストノズル駆動モータ２１はまったく駆動せず、その後にミストを噴出させて温度変化を検出してもミストノズル駆動モータ２１の故障判定を行なうことができない。
【００８９】
そのため、本実施形態においては、ミストノズル駆動モータ２１の故障判定処理にあたり、コントローラ１２は、以下の手順でミストノズル駆動モータ２１の故障判定を行なう。
【００９０】
（１）まず、上記リモコン４により、温水または冷水のミスト運転の開始操作がなされ、この操作がコントローラ１２に受け付けられると、コントローラ１２は、上記ミストノズルを駆動させずに、そのままの位置でミストノズル１０からミストを噴出させて該ミストを温度センサ１１に直接吹き付ける。ここで、ミストノズル１０から噴出させるミストの温度の選定やミストの噴出時間の設定は、上述した実施形態１と同様である。
【００９１】
（２）このようにして上記温度センサ１１に対するミストの吹き付けがなされると、次の段階として、コントローラ１２は、ミストノズル駆動モータ２１を作動させて、ミストノズル１０から噴出するミストが温度センサ１１に直接吹き付けられない位置にミストノズルを揺動旋回させる。なお、その際、ミストノズル１０からのミストの噴出は停止させずに継続させる。
【００９２】
（３）そして、次の段階として、このときの温度センサ１１の検出値に基づいて、コントローラ１２がミストノズル駆動モータ２１の故障判定を行なう。
【００９３】
すなわち、この後に温度センサ１１で検出される検出値は、少なくともミスト吹き付け前の浴室の室温に近づくように変化を始めることから、温度センサ１１で浴室の室温と同じ温度や室温に近づく温度変化が検出されると、コントローラ１２は、ミストユニット駆動モータ２１は正常に駆動していると判定する一方、温度センサ１１で検出される温度にまったく変化がないか、あるいは、変化の程度が極めて少ない場合には、ミストユニット駆動モータ２１が故障している（ミストユニット１０の向きが変わっていない）と判定する。
【００９４】
（４）そして、ミストノズル駆動モータ２１の故障判定が完了すると、コントローラ１２は、ミストノズル駆動モータ２１は正常に駆動していると判定した場合には、ミストノズル駆動モータ２１を駆動させて、ミストノズル１０をリモコン４で設定された方向に揺動旋回させるとともに、リモコン４で設定された温度のミストをミストノズル１０から噴霧させて、ミスト運転を開始する。
【００９５】
その一方、ミストノズル駆動モータ２１が故障していると判定した場合には、コントローラ１２は所定の故障報知処理を実行する。なお、この故障報知処理の内容についても上述した実施形態１と同様である。
【００９６】
このように、本実施形態の浴室暖房乾燥機１によれば、ミストノズル１０の位置を変更しなくとも温度センサ１１にミストを吹き付け可能な状態にある場合であっても、実施形態１と同様に、新たなセンサを設けることなく、温度センサ１１の配置の変更と制御部のソフトウェアの変更といったわずかな設計変更だけで、浴室暖房乾燥機１自身の制御によってミストノズル駆動モータ２１の故障検出を行なうことができる。
【００９７】
実施形態３
次に、本発明の第３の実施形態について説明する。この第３の実施形態は、上述した実施形態１、２におけるミストノズル駆動モータ２１の故障判定処理の手順に、浴室の温度を所定の温度に調整するための前処理工程を付加したものであって、その他の点は上述した実施形態１、２と共通するので、構成が共通する部分については同一の符号を用いて説明を省略する。
【００９８】
すなわち、先に説明した実施形態１、２では、ミストノズル駆動モータ２１の故障判定処理手順の実行にあたり、浴室の温度については何ら手を加えないことを前提としているため、たとえば、冷水ミストを噴出させてミストノズル駆動モータ２１の故障判定を行なおうとした場合、故障判定を行なうに十分な温度変化を得られない場合があった。本実施形態の浴室暖房乾燥機１は、このような問題を解決する構成を提供するものであって、具体的には、上記ミストノズル駆動モータ２１の故障判定処理としてミストの噴出を開始する前に、コントローラ１２が、上記温度センサ１１の検出値が所定温度となるように暖房（または乾燥）運転または温水ミスト運転を行なう前処理運転を実行する。
【００９９】
ここで、この前処理運転は、温風や温水ミストによる通常の暖房運転を意味し、上述した故障判定処理のように、温度センサ１１に対して直接的に温風や温水ミストを吹き付けるものではない。つまり、本実施形態では、前処理として暖房運転や温水ミスト運転を行なうことにより、温度センサ１１の検出値（室温）を一旦所定値まで上昇させ、この状態で温度センサ１１に冷水のミストを吹き付けて、その際の温度変化の有無を検出する。
【０１００】
このように、本実施形態の浴室暖房乾燥機１によれば、温度センサ１１の検出値を予め高めてから冷水ミストを吹き付けてミストノズル駆動モータ２１の故障判定が行なわれるので、温度センサ１１による温度変化の検出が容易となり、冷水ミストを用いてのミストノズル駆動モータ２１の故障判定を正確かつ確実に行なうことができるようになる。
【０１０１】
なお、この場合において、ミストノズル駆動モータ２１の故障判定時の温度変化の検出にあたっては、上述したように、温度センサ１１の出力に対して閾値を設定し、温度センサ１１の検出値が当該閾値を下回ったか否かで温度変化の有無を判定したり、あるいは、温度センサ１１の出力の経時変化を監視しておき、その変化量が所定値を超えたか否か（たとえば、１分間に１０℃以上の温度低下があったか否か）で温度変化の有無を判定する。また、閾値の設定にあたって、上述したように固定値を用いることができる他、ミスト温度センサ４３の検出値（冷水の温度）に基づいて閾値を設定することも可能である。
【０１０２】
実施形態４
次に、本発明の第４の実施形態について説明する。この第４の実施形態は、空調制御用の温度センサ１１を、ミストノズル１０の直下に配置させたことに伴い、この温度センサ１１を利用してミストノズル駆動モータ２１のポジションリセットを行なわせるようにしたもので、その他の点については他の実施形態と共通するので、共通する部分には同一の符号を付して説明を省略する。
【０１０３】
すなわち、この第４の実施形態では、リモコン４等でミスト運転の停止操作がなされ、コントローラ１２がこの操作を受け付けると、コントローラ１２はミストの噴出を停止させることなく、ミストノズル駆動モータ２１を駆動させて、ミストノズル１０をポジションリセットの位置（具体的には、ミストノズル１０のノズル本体１９が真下に向く位置）に向かうようにミストノズル１０を揺動旋回させる（図３の例では時計方向に揺動旋回させる）。
【０１０４】
そして、コントローラ１２は、温度センサ１１の検出値を監視し、温度センサ１１の検出値が噴霧中のミストの影響を受けて温度変化を開始すると、その時点でミストノズル１０が上記ポジションリセットの位置にあると判定して、ミストノズル駆動モータ２１の駆動を停止すると同時に、コントローラ１２におけるミストノズル駆動モータ２１のポジションデータをリセットし、ミストの噴出を停止させる。
【０１０５】
なお、このときに温度センサ１１において検出するミストの影響による温度変化は、噴出させているミストの温度（リモコン４等によるミスト設定温度またはミスト温度センサ４３の検出値）に基づいて閾値を設定し、この閾値を超えたか（または、冷水ミストであれば閾値を下回ったか）で判定する。
【０１０６】
これにより、従来の浴室暖房乾燥機１では、ミスト運転の停止時に、上述したような滑り機構を用いてミストノズル駆動モータ２１を余分に駆動させていたが、本実施形態ではかかる余分なモータ駆動をなくすことができる。しかも、ミスト運転中などに手動でミストノズル１０の向きが変更されてもポジションリセットの位置で正確に停止させることができ、次回の運転時においても設定どおりの向きにミストノズル１０を位置させることができる。
【０１０７】
なお、上述した実施形態は本発明の好適な実施態様を示すものであって、本発明はこれらに限定されることなくその範囲内で種々の設計変更が可能である。  
【０１０８】
たとえば、上述した実施形態では、リモコンによってユーザが設定可能なミストノズル１０の揺動旋回範囲が水平方向から約４５°の範囲に制限されていたが、この範囲は適宜設計変更可能である。要は、本発明に係る温度センサ１１がリモコン４によるミストノズル１０の揺動旋回設定可能範囲外に設けられていればよく、リモコン４での設定可能範囲は適宜変更可能である。
【０１０９】
また、上述した実施形態では、浴室暖房乾燥機１と温水熱源機２との間にこれらとは別体の外部ユニットであるミストユニット３を介在させる場合について説明したが、ミストユニット３と同様の働きをするユニットを浴室暖房乾燥機１または温水熱源機２の一方に内蔵させたり、両者に分散配置させたりすることも可能である。
【０１１０】
また、上述した実施形態では、通常の使用状態におけるミストノズル駆動モータ２１の故障判定処理を中心に説明したため、実施形態１において、ミストノズル１０から噴出させるミストの温度の設定に関し、ミスト噴出前に検出した室温に基づいて噴出させるミストの温度を設定する例として、ミスト噴出前に検出した室温と基準温度とを比較して、検出した室温が基準温度より低ければ「温水ミスト」を、また基準温度より高ければ「冷水ミスト」を用いる点を説明したが、たとえば、試運転（装置施工時や定期検査時などに行なうシステムのテスト運転）時のように時間をかけて検査を行なうことができる場合には、ミスト噴出前に検出した室温と基準温度とを比較して、検出した室温が基準温度より低ければ「温水ミスト」を用いて上述した故障判定手順を実施した後、これに続けて「冷水ミスト」を用いて同様の故障判定手順を行なう（または、この反対の手順で故障判定手順を行なう）こともできる。すなわち、この場合は、冷水および温水のミストの双方で故障判定が行なわれるので、ミストノズル駆動モータ２１の故障判定だけでなく、温度センサ１１自体が正常か否かも併せて確認をすることもできる。
【０１１１】
また、上述した実施形態では、ミストノズル駆動モータ２１の故障判定処理において、温度センサ１１の温度変化の検出方法として閾値を設ける場合について説明したが、この閾値は、温度センサ１１に吹き付けるミストの温度（実施形態１の場合）や浴室の室温（実施形態２の場合）と略同一に設定することも可能である。
【０１１２】
また、上述した実施形態では、浴室暖房乾燥機１が壁掛式の場合について説明したが、本発明は天井取付式の浴室暖房乾燥機１にも適用可能である。ただし、その場合は、ミストノズル駆動モータ２１の故障判定処理手順中にミストノズル１０から噴出するミストがユーザに直接当たらないような措置を講ずるのが好ましい。
【図面の簡単な説明】
【０１１３】
【図１】本発明を適用した浴室暖房乾燥機の一例を示す概略構成図である。
【図２】同浴室暖房乾燥機におけるミストノズルの駆動機構を説明する概念図である。
【図３】同浴室暖房乾燥機におけるミストノズルの揺動旋回範囲の一例を示す説明図である。
【符号の説明】
【０１１４】
１              浴室暖房乾燥機（浴室暖房装置）
２              温水熱源機
３              ミストユニット
４              リモコン（浴室暖房乾燥機のリモコン）
５              気−液熱交換器
６              循環ファン
７              空気吸気口
８              温風吹出用のルーバー
９              湿度センサ
１０            ミストノズル
１１            温度センサ（室温検出手段）
１２            コントローラ（制御部）
１３            熱動弁
１４            暖房往管
１５            暖房戻管
１８            ミスト用配管
１９            ノズル本体
２０            切替電磁弁
２１            ミストノズル駆動モータ
２４            ミスト用の給湯配管
３１            液−液熱交換器
３２            コントローラ（ミストユニットのコントローラ）
３５            水比例弁
３７            給湯電磁弁
３８            ミスト電磁弁
３９            給水電磁弁
４０            給水配管
４３            ミスト温度センサ
【図１】
2008111606.tif 000003
【図２】
2008111606.tif 000004
【図３】
2008111606.tif 000005